(57)【特許請求の範囲】
【請求項１】
送風ファンを回転させるモータと、前記モータを支持する支柱と、を有する扇風機において、
前記モータの回転軸の前記送風ファンと前記モータとの間となる位置に取り付けられ前記送風ファンとともに回転する補助ファンと、
前記送風ファンを露出させた状態で前記補助ファンを収容するとともに前記補助ファンの吸気側に内部空間を備え前記補助ファンの排気側が開口した筐体と、を有し、
前記支柱は、
ダクトを備えた中空構造であるととともに、その下部には前記ダクトに連通する空気の取入口が設けられ、
前記筐体と前記支柱とは、フレキシブルな配管により連結され、
前記配管は、
前記内部空間と前記ダクトとを連通していることを特徴とする扇風機。
【請求項２】
前記筐体は、その径が前記送風ファンの径よりも小さいことを特徴とする請求項１に記載の扇風機。
【請求項３】
前記取入口は、前記支柱の側壁を周回するように複数配置されていることを特徴とする請求項１または２に記載の扇風機。
【請求項４】
前記ダクト内には、前記取入口から取り入れた空気から塵埃を除去するフィルタが配置されていることを特徴とする請求項１乃至３のいずれか１項に記載の扇風機。
【請求項５】
前記ダクト内には、前記取入口から取り込んだ空気を前記筐体に送り込むダクトファンが配置されていることを特徴とする請求項１乃至４のいずれか１項に記載の扇風機。
【発明の詳細な説明】
【技術分野】
【０００１】
本発明は、扇風機に関し、特に床面近傍の空気を送風させるのに好適な扇風機に関する。
【背景技術】
【０００２】
従来より、各種の扇風機が使用されており、省エネルギーの観点から、エアコンディショナーが普及している環境下でも、その価値が見出されている。特に、扇風機は、エアコンディショナーと併用することで、屋内での空調をムラなく効率的に行うことができることが知られており、冬の暖房の際にも用いられている。
【０００３】
一般的な扇風機は、送風ファンを回転させるモータと、モータを支持する支柱により構成されている。そして、扇風機には、モータの回転軸の傾斜角度を調整する傾斜支持機構と、モータの回転軸がいわゆる首ふり運動をするための首振り機構が設けられている。
【０００４】
ここで、送風ファンは、床面から一定の高さ位置において支柱により支持された状態で送風することになるため、床面近傍の空気を取り込んで送風する効率が低い。特に、冬の暖房の際には、床面近傍には冷気があり、屋内温度のムラを解消できず、底冷えすることがある。
【０００５】
特許文献１、２には、ファンの回転軸を鉛直方向とし、ファンの上方及び下方から空気を取り込んで水平方向３６０度に送風可能な扇風機が開示されている。
【先行技術文献】
【特許文献】
【０００６】
【特許文献１】特開２０１３−１２７２１６号公報
【特許文献２】特開２００９−０９１９８０号公報
【発明の概要】
【発明が解決しようとする課題】
【０００７】
特許文献１、２の構成であれば、ファンの下方すなわち床面近傍から空気を取り込んで、床面由来の空気を水平方向に送風させることは可能である。しかし、水平方向に３６０度送風するタイプであるので、一方向における送風能力は限られたものになるとともに、特定の方向にのみ送風すること、及びいわゆる首振り送風を行うことは困難であるという問題があった。
【０００８】
そこで、本発明は、上記問題点に着目し、首振り運動の機構等を有する通常の扇風機としての機能を維持するとともに、床面近傍からの空気を取り込んで空調を効率的に行うことが可能な扇風機を提供することを目的とする。
【課題を解決するための手段】
【０００９】
上記目的を達成するため、本発明に係る扇風機は、第１には、送風ファンを回転させるモータと、前記モータを支持する支柱と、を有する扇風機において、前記モータの回転軸の前記送風ファンと前記モータとの間となる位置に取り付けられ前記送風ファンとともに回転する補助ファンと、前記送風ファンを露出させた状態で前記補助ファンを収容するとともに前記補助ファンの吸気側に内部空間を備え前記補助ファンの排気側が開口した筐体と、を有し、前記支柱は、ダクトを備えた中空構造であるととともに、その下部には前記ダクトに連通する空気の取入口が設けられ、前記筐体と前記支柱とは、フレキシブルな配管により連結され、前記配管は、前記内部空間と前記ダクトとを連通していることを特徴とする。
【００１０】
上記構成により、補助ファンの回転により、床面近傍の空気が取入口、ダクト、配管、内部空間を経由して筐体から排出される。そして、筐体から排出された空気が送風ファンに取り込まれて、送風ファンが床面由来の空気を送風することができる。また、送風ファンは、その回転により筐体から排出された空気のみならず送風ファンの吸気側周囲にある空気を取り込んで送風することができる。また、配管はフレキシブルに形成されているので、モータの回転軸の傾斜角度を調整する傾斜支持機構の動作、モータの回転軸がいわゆる首ふり運動をするための首振り機構の動作に干渉することはない。したがって、通常の扇風機としての機能を維持するとともに、床面近傍からの空気を取り込んで空調を効率的に行うことが可能な扇風機となる。また、モータ一つで送風ファンと補助ファンを回転させることになるので、部品点数の肥大化とコスト増を抑制することができる。
【００１１】
第２には、前記筐体は、その径が前記送風ファンの径よりも小さいことを特徴とする。
上記構成により、筐体から排出された空気のみならず送風ファンの周囲の空気をより効率的に取り込むことができる。
【００１２】
第３には、前記取入口は、前記支柱の側壁を周回するように複数配置されていることを特徴とする。
上記構成により、支柱の周囲において床面近傍の空気をムラなく取り込むことができる。
【００１３】
第４には、前記ダクト内には、前記取入口から取り入れた空気から塵埃を除去するフィルタが配置されていることを特徴とする。
上記構成により、塵埃の拡散を防止することができる。
【００１４】
第５には、前記ダクト内には、前記取入口から取り込んだ空気を前記筐体に送り込むダクトファンが配置されていることを特徴とする。
上記構成により、床面由来の空気の風量を増加させることができる。
【発明の効果】
【００１５】
本発明に係る扇風機によれば、補助ファンの回転により、床面近傍の空気が取入口、ダクト、配管、内部空間を経由して筐体から排出される。そして、筐体から排出された空気が送風ファンに取り込まれて、送風ファンが床面由来の空気を送風することができる。また、送風ファンは、その回転により、筐体から排出された空気のみならず送風ファンの周囲にある空気を取り込んで送風することができる。また、配管はフレキシブルに形成されているので、モータの回転軸の傾斜角度を調整する機構の動作、モータの回転軸がいわゆる首ふり運動をするための機構の動作に干渉することはない。したがって、通常の扇風機としての機能を維持するとともに、床面近傍からの空気を取り込んで空調を効率的に行うことが可能となる。また、モータ一つで送風ファンと補助ファンを回転させることになるので、部品点数の肥大化とコスト増を抑制することができる。
【図面の簡単な説明】
【００１６】
【図１】第１実施形態の扇風機の模式図である。
【図２】第２実施形態の扇風機の模式図である。
【発明を実施するための形態】
【００１７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１８】
図１に第１実施形態の扇風機の模式図を示す。図１（図２も同様）において、一点鎖線で囲まれた部分は断面図を表す。本実施形態の扇風機１０は、支柱４０と、支柱４０の上部に取り付けられた駆動部１２と、から構成され、駆動部１２を構成するモータ（不図示）が送風ファン１６を回転させることにより空気（空気５８、空気６０）を送風するものである。駆動部１２は、モータ（不図示）を収容する第１筐体２０、後述の補助ファン１８を収容する第２筐体２４、送風ファン１６を収容する網カバー３８によりその外形が形成されている。
【００１９】
第１筐体２０には、駆動部１２（モータの回転軸１４）をいわゆる首振り運動させるための首振り機構（不図示）が収容されており、例えば第１筐体２０の上部に配置された切替ツマミ２２を第１筐体２０側に押し込むことにより首振り運動をし、押し込まれた切替ツマミ２２を引っ張りだすことにより首振り運動を解除することができる。また支柱４０と第１筐体２０との間には、駆動部１２（モータの回転軸１４）の向きを水平、あるいは任意の角度で傾斜させた状態で支持する傾斜支持機構５４が介装されている。なお、第１筐体２０の上部には、取っ手２０ａが取り付けられている。
【００２０】
第１筐体２０に接続する第２筐体２４は、補助ファン１８を収容するものであり、補助ファン１８の排気側（送風ファン１６側）に開口部２６を有している。一方、第２筐体２４内の補助ファン１８の吸気側には内部空間３２が形成されている。そして、この内部空間３２に対向する第２筐体２４の外壁にはボス部３４が形成され、ボス部３４の貫通孔３６が内部空間３２に連通している。第２筐体２４は、開口部２６及び貫通孔３６以外の部分を除いて気密構造となっている。また第２筐体２４の回転軸１４が貫通する部分には軸受３０、３１が設けられている。開口部２６に配置された軸受３０は、複数の梁２８により支持されている。梁２８は、軸受３０（回転軸１４）を中心として回転軸１４方向を法線とする平面上で放射状に延び、その先端が第２筐体２４の開口部２６付近の内壁に接続する態様で設けられる。送風ファン１６を収容する網カバー３８は第２筐体２４に接続されている。
【００２１】
支柱４０は、中空構造の支柱本体４２と、支柱本体４２の下部において支柱本体４２を支持する支柱台座５０により構成されている。支柱本体４２は、その内部に鉛直方向に延びるダクト４４を有している。支柱本体４２及びダクト４４の断面形状は、円形や矩形など任意の形状をとることができる。また支柱本体４２の側壁にはボス部４６が形成され、ボス部４６の貫通孔４８がダクト４４に連通している。
【００２２】
支柱台座５０は、円形のトレーを上下逆さまにしたような形状を有し、トレーの底板部分に支柱本体４２が接続しダクト４４が開口している。また支柱台座５０の側壁には、空気５８の取入口５２が形成されている。取入口５２は側壁を周回するように複数形成され、ダクト４４に連通している。
【００２３】
支柱台座５０には、その上面に扇風機１０のモータ（不図示）のオンオフ制御、モータの回転数を切り替える制御、モータのタイマー制御のためのスイッチ類（不図示）が配置され、また支柱台座５０の内部には、前述のスイッチ類、電源ケーブル、モータに接続するケーブル等に接続する制御回路（不図示）が取り付けられている。また、本実施形態の扇風機１０が、遠隔操作が可能なものである場合は、遠隔操作用の端末からの信号を受信する受信器（不図示）が扇風機１０のいずれかの場所（例えば支柱台座５０や支柱本体４２）に取り付けられている。
【００２４】
第２筐体２４と支柱本体４２とは、フレキシブルな配管５６により連結されている。配管５６は、撓んだ状態でその一端の開口部が第２筐体２４に設けられたボス部３４に嵌め込まれ、他端の開口部が支柱本体４２に設けられたボス部４６に嵌め込まれている。これにより、取入口５２、ダクト４４、貫通孔４８、配管５６、貫通孔３６、内部空間３２、開口部２６が連通することになる。なお、配管５６（ホース）は、ゴム等の可撓性のある材料により形成し、配管５６の長手方向（空気５８の流通方向）に沿って伸縮自在な例えば蛇腹構造とすることも好適である。
【００２５】
送風ファン１６及び補助ファン１８は、モータ（不図示）の回転軸１４に取り付けられ、回転軸１４の回転により同一回転方向かつ同一回転速度で同時に回転する。補助ファン１８は、例えば送風ファン１６と相似な形状を有し、送風ファン１６と同一方向に回転することにより、送風ファン１６と同一方向に送風するものである。補助ファン１８は、第２筐体２４の開口部２６よりやや内部空間３２側に入り込んだ態様で配置される。一方、第２筐体２４の内壁は、補助ファン１８の回転時の最外周部分に接触することはなく、最外周部分の軌跡（円形）よりもわずかに大きな内径を有している。これにより、補助ファン１８が第２筐体２４の開口部２６周辺にある空気（空気６０）を一旦取り込んでこれを送風ファン１６側に送風してしまう、という状態を回避できる。したがって、補助ファン１８は、内部空間３２側の空気５８を送風ファン１６に向けて確実に送風することができる。一方、内部空間３２は、前述のように取入口５２に連通している。よって、補助ファン１８が回転することにより、取入口５２からは床面近傍の空気５８が取り込まれ、これがダクト４４、配管５６を経由して内部空間３２に導入され、結果的に床面近傍由来の空気５８が補助ファン１８から送風ファン１６に送風される。そして、送風ファン１６は、補助ファン１８からの床面近傍由来の空気５８と、送風ファン１６の吸気側周辺の空気６０を取り込んで送風することになる。なお、図１（図２）では、空気５８、空気６０が混ざることなく送風されるように描かれているが、送風ファン１６において空気５８と空気６０が混合され、混合された空気が送風ファン１６から送風される。
【００２６】
本実施形態による扇風機１０によれば、補助ファン１８の回転により、床面近傍の空気５８が取入口５２、ダクト４４、配管５６、内部空間３２を経由して第２筐体２４から排出される。そして、第２筐体２４から排出された空気５８が送風ファン１６に取り込まれて、送風ファン１６が床面由来の空気５８を送風することができる。また、送風ファン１６は、その回転により第２筐体２４から排出された空気５８のみならず送風ファン１６の吸気側周囲にある空気６０を取り込んで送風することができる。また、配管５６はフレキシブルに形成されているので、モータ（不図示）の回転軸１４の傾斜角度を調整する傾斜支持機構５４の動作、モータ（不図示）の回転軸１４がいわゆる首ふり運動をするための首振り機構（不図示）の動作に干渉することはない。したがって、通常の扇風機としての機能を維持するとともに、床面近傍からの空気５８を取り込んで空調を効率的に行うことが可能な扇風機１０となる。また、モータ（不図示）一つで送風ファン１６と補助ファン１８を回転させることになるので、部品点数の肥大化とコスト増を抑制することができる。
【００２７】
本実施形態において、取入口５２は、支柱４０（支柱台座５０）の側壁を周回するように複数配置されているため、支柱４０の周囲において床面近傍の空気５８をムラなく取り込むことができる。
【００２８】
本実施形態において、第２筐体２４は、その径が送風ファン１６の径よりも小さくすることが好適である。これにより、第２筐体２４から排出された空気５８のみならず送風ファン１６の吸気側周辺の空気６０をより効果的に取り込むことができる。しかし、第２筐体２４の径（補助ファン１８の径）を送風ファン１６の径と同程度（若しくはそれ以上）としても、第２筐体２４と送風ファン１６の間に周辺の空気６０が入り込んでくるので、送風ファン１６は送風ファン１６の周辺の空気６０を送風することができる。
【００２９】
図２に、第２実施形態の扇風機の模式図を示す。第２実施形態の扇風機１０Ａの基本構成は第１実施形態と同様であるが、ダクト４４内部にフィルタ６２とダクトファン６４を取り付けている点で相違する。
【００３０】
フィルタ６２は、例えばＨＥＰＡ（Ｈｉｇｈ  Ｅｆｆｉｃｉｅｎｃｙ  Ｐａｒｔｉｃｌｅ  Ａｉｒ  Ｆｉｌｔｅｒ）等の粒子（塵埃）捕集効率の高く、また圧力損失の小さいものが好適である。また、ダクト４４に対して交換取り付け可能なものが好適である。これにより、塵埃の拡散を防止することができる。
【００３１】
ダクトファン６４は、ダクト４４内部で支持されたモータ６６と、モータ６６により回転するファン６８により構成されている。モータ６６の回転方向は、任意であるが、モータ６６が回転することによりファン６８が空気５８をダクト４４上方、すなわち内部空間３２側に送風できればよい。これにより、床面由来の空気５８の風量を増加させることができる。なお、モータ６６は、前述の制御回路（不図示）に接続され、支柱台座５０に設けたスイッチ類若しくは遠隔操作端末により、モータ６６のオンオフ制御、モータ６６の回転数を切り替える制御、モータ６６のタイマー制御を行うことができる。
【００３２】
また、ダクト４４内部においては、ダクトファン６４がフィルタ６２よりも上となるように取り付けることが好適である。これにより、ダクトファン６４がフィルタ６２よりも空気５８の流路の下流となるので、ダクトファン６４に塵埃が付着することを防止できる。
【００３３】
いずれの実施形態においても、送風ファン１６と補助ファン１８とが同一方向に回転する旨説明したが、モータ（不図示）の回転軸１４の送風ファン１６と補助ファン１８との間となる位置に回転を反転させる反転機構（不図示）を取り付け、送風ファン１６と補助ファン１８が互いに反対方向に回転するようにしてもよい。この場合、送風ファン１６及び補助ファン１８の羽根の回転軸１４の長手方向を基準とした傾斜の向きが互いに逆向きになるようにすればよい。
【００３４】
また、配管５６は支柱本体４２に形成したダクト４４に連通させているが、配管５６をダクト４４に連通させず、配管５６の一端の開口部をボス部３４にはめ込み、他端の開口部を床面近傍において開口させた状態で配置する（または、ぶら下げたままにする）こともできる。
【産業上の利用可能性】
【００３５】
首振り運動の機構等を有する通常の扇風機としての機能を維持するとともに、床面近傍からの空気を取り込んで空調を効率的に行うことが可能な扇風機として利用できる。
【符号の説明】
【００３６】
１０………扇風機、１２………駆動部、１４………回転軸、１６………送風ファン、１８………補助ファン、２０………第１筐体、２２………切替ツマミ、２４………第２筐体、２６………開口部、２８………梁、３０………軸受、３２………内部空間、３４………ボス部、３６………貫通孔、３８………保護網籠、４０………支柱、４２………支柱本体、４４………ダクト、４６………ボス部、４８………貫通孔、５０………支柱台座、５２………取入口、５４………傾斜支持機構、５６………配管、５８………空気、６０………空気、６２………フィルタ、６４………ダクトファン、６６………モータ、６８………ファン。
【要約】      （修正有）【課題】首振り運動の機構等を有する通常の扇風機としての機能を維持するとともに、床面近傍からの空気を取り込んで空調を効率的に行うことが可能な扇風機を提供する。【解決手段】送風ファン１６を回転させるモータと、前記モータを支持する支柱４０と、を有する扇風機１０において、前記モータの回転軸１４の前記送風ファン１６と前記モータとの間となる位置に取り付けられ前記送風ファン１６とともに回転する補助ファン１８と、前記送風ファン１６を露出させた状態で前記補助ファン１８を収容するとともに前記補助ファン１８の吸気側に内部空間３２を備え前記補助ファンの排気側が開口した筐体（第２筐体２４）と、を有し、前記支柱はダクト４４を備えた中空構造で、下部には前記ダクトに連通する空気取入口５２が設けられ、前記筐体と前記支柱とはフレキシブルな配管５６により連結され、配管５６は前記内部空間と前記ダクトとを連通することを特徴とする。【選択図】図１【図１】
0005773229.tif 000002
【図２】
0005773229.tif 000003